【事件の表示】
　国際登録第８６０４０９号に係る国際商標登録出願の拒絶査定に対する審判事件について、次のとおり審決する。
【結論】
　本件審判の請求は、成り立たない。
【理由】
１　本願商標
　本願商標は、「ＰＵＲＥ　ＰＵＲＰＬＥ」の欧文字を書してなり、第３類「Ｃｏｓｍｅｔｉｃｓ；ｆｒａｇｒａｎｔ　ｂｏｄｙ　ｃａｒｅ　ｐｒｅｐａｒａｔｉｏｎｓ，ｐｒｅｐａｒａｔｉｏｎｓ　ｆｏｒ　ｔｈｅ　ｃｌｅａｎｉｎｇ，ｃａｒｅ　ａｎｄ　ｂｅａｕｔｉｆｉｃａｔｉｏｎ　ｏｆ　ｔｈｅ　ｓｋｉｎ，ｓｃａｌｐ　ａｎｄ　ｈａｉｒ；ａｌｌ　ａｆｏｒｅｍｅｎｔｉｏｎｅｄ　ｇｏｏｄｓ　ｗｉｔｈ　ｔｈｅ　ｅｘｃｅｐｔｉｏｎ　ｏｆ　ｔｈｏｓｅ　ｗｉｔｈ　ｃｏｌｏｒａｎｔ　ｐｒｏｐｅｒｔｉｅｓ　ｏｒ　ｏｆ　ｃｏｌｏｒａｎｔ　ｅｆｆｅｃｔ；ｔｏｉｌｅｔ　ｓｏａｐｓ，ｐｅｒｆｕｍｅｒｙ，ｅｓｓｅｎｔｉａｌ　ｏｉｌｓ；ｄｅｏｄｏｒａｎｔｓ　ｆｏｒ　ｐｅｒｓｏｎａｌ　ｕｓｅ．」を指定商品とし、２００４年１１月２９日にＧｅｒｍａｎｙにおいてした商標登録出願に基づきパリ条約第４条による優先権を主張し、２００５年（平成１７年）５月２６日に国際商標登録出願されたものである。
２　原査定の拒絶の理由の要点
　原査定は、「本願商標は、『ＰＵＲＥ　ＰＵＲＰＬＥ』の欧文字を普通に用いられる方法で表してなるところ、本願指定商品に使用されるときには、『きれいな紫色』との意味合いを認識させるにすぎず、単に商品の品質（色彩）を表したものと認識されるものである。したがって、本願商標は、商標法第３条第１項第３号に該当する。」旨認定、判断し、本願を拒絶したものである。
３　当審の判断
　本願商標は、「ＰＵＲＥ　ＰＵＲＰＬＥ」の欧文字を普通に用いられる方法で表してなるところ、その構成中「ＰＵＲＥ」の文字は、「きれいな、純粋な、まじりけのない」等の、「ＰＵＲＰＬＥ」の文字は、「紫の、紫色の」等の意味（リーダーズ英和辞典　株式会社研究社行）を有するものとして親しまれた語（文字）であって、全体として「きれいな紫色」ほどの意味を理解させるものである。
　そして、「ＰＵＲＥ　ＰＵＲＰＬＥ」あるいは該文字の表音を片仮名で表した「ピュアパープル」の文字は、本願指定商品を含む多種の商品において、色彩を表す語として、一般に使用されているものである。
　そして、その使用の事実としては、例えば、以下のインターネット情報によっても窺い知ることができる
　（１）「楽天市場」の「Ｋｉｎｅｔｉｃｓ／Ｋｉｎｅｔｉｃｓ＆Ｃａｔａｌｙｓｉｓ」のホームページにおいて、「【ＪＯＲＤＡＮ　ＢＲＡＮＤ】　ＮＩＫＥ　ＪＯＲＤＡＮ　ＳＰＩＺ’ＩＫＥ」を紹介する頁に、商品の色のバリエーションとして商品写真ととともに「ＢＬＡＣＫ／ＣＩＴＲＯＮ−ＰＵＲＥ　ＰＵＲＰＬＥ−ＷＨＩＴＥ」との記載がある。（ｈｔｔｐ：／／ｉｔｅｍ．ｒａｋｕｔｅｎ．ｃｏ．ｊｐ／ｋｉｎｅｔｉｃｓ−ｔｏｋｙｏ／１０００１４７１／）
　（２）「Ｋ　ＩＮＴＥＲＮＡＴＩＯＮＡＬ　ＣＯ．」のホームページにおいて、商品の「Ｎｉｋｅ　Ｗｏｍｅｎ’ｓ　Ｄｕｎｋ　Ｈｉｇｈ　６．０」を紹介する説明欄に、商品の色のバリエーションとして商品写真ととともに「Ｐｕｒｅ　Ｐｕｒｐｌｅ　／　Ｐｒｏ　Ｃｙａｎ−Ｂｒｇｈｔ　Ｃｒｌ」との記載がある。（ｈｔｔｐ：／／ｗｗｗ．ｋｉｎｔｌｃｏ．ｃｏｍ／ｎｉｋｅ−ｓｈｕｚｕ−１）
　（３）「クラリオン株式会社」のホームページにおいて、「カーオーディオ『ＤＦＺ６６５ＭＣ』の取扱説明書中の基本の操作（２３頁）」の「アクリルキーの照明色を設定する」の項目において、「お好みに合わせて、アクリルキーの照明色を変更することができます。イルミネーションは、１２色のプリセットカラーおよび、７２８色のカラー調整が可能です。・・・→Ｉｎｄｉｇｏ　Ｂｌｕｅ（インディゴブルー）→Ｓｕｒｆ　Ｂｌｕｅ（サーフブルー）→Ｓｉｌｋｙ　Ｗｈｉｔｅ（シルキーホワイト）→・・・→Ｐｕｒｅ　Ｐｕｒｐｌｅ（ピュアパープル）・・・」の記載がある。（ｈｔｔｐ：／／ｗｗｗ．ｃｌａｒｉｏｎ．ｃｏｍ／ｊｐ／ｊａ／ＭｕｎｇｏＢｌｏｂｓ／３１１／１０００／ＤＦＺ６６５ＭＣ．ｐｄｆ）
　（４）「ＡＶＩＮＧ　Ｊａｐａｎ」の「Ｓａｒｏｔｅｃｈ、パステルトーン外付けハード’ｉｎｅｅ’発売」を紹介するホームページにおいて、「ＳＥＯＵＬ，　Ｋｏｒｅａ　（ＡＶＩＮＧ）　−−　＜Ｖｉｓｕａｌ　Ｎｅｗｓ＞　Ｓａｒｏｔｅｃｈ（ｗｗｗ．ｓａｒｏｔｅｃｈ．ｃｏｍ）が、豪華なパステルカラーで個性を強調した外付けハード’ｉｎｅｅ’を発売した。スイートピンク（Ｓｗｅｅｔ　Ｐｉｎｋ）、アバターブルー（Ａｖａｔａｒ　Ｂｌｕｅ）、ピュアパープル（Ｐｕｒｅ　Ｐｕｒｐｌｅ）等、最新カラートレンドを反映した’ｉｎｅｅ’は、この頃外付けハード市場で購買力が大きくなっている女性消費者に、良い反応を得るだろうと会社側は予想している。・・・」の記載がある。（ｈｔｔｐ：／／ｊｐ．ａｖｉｎｇ．ｎｅｔ／ｎｅｗｓ／ｖｉｅｗ．ｐｈｐ？ａｒｔｉｃｌｅＩｄ＝１５０８１２）
　（５）「楽天市場」の「ｅからだナビ」のホームページにおいて、「マックスファクター　アイグラデーション　カラーズ　全６パレット　ピュアパープル」を紹介する頁に、商品の色のバリエーションとして、色見本とともに「ピュアパープル」との記載がある。（ｈｔｔｐ：／／ｉｔｅｍ．ｒａｋｕｔｅｎ．ｃｏ．ｊｐ／ｃｏｈｓｅｌ／ｍａｘ−ｎｅｗ−２００６／）
　（６）「楽天市場」の「すにーかー倉庫」のホームページにおいて、「ＮＩＫＥ　ｂａｎｎｄａｒｕ　ＬＯＷ　ＧＳ　ホワイト／オブシディアン／ピュアパープル／パウンダーブルー」を紹介する頁に、商品写真と共に、「カラー」の表示として「ホワイト／オブシディアン／ピュアパープル／パウンダーブルー」との記載がある。（ｈｔｔｐ：／／ｉｔｅｍ．ｒａｋｕｔｅｎ．ｃｏ．ｊｐ／ｓｎｅａｋｅｒ−ｓｏｋｏ／１００１１０２０／）
　（７）「楽天市場」の「アミアミ（婦人靴と雑貨の店）」のホームページにおいて、「スピーディーダック★ひもなしスニーカー（８Ａ５Ｈ）」を紹介する頁に、商品写真と共に、「・・・Ｉｔｅｍ　ｓｐｅｃｉｆｉｃａｔｉｏｎ・・・」の項の「カラー」の欄に「ピュアパープル」との記載がある。（ｈｔｔｐ：／／ｉｔｅｍ．ｒａｋｕｔｅｎ．ｃｏ．ｊｐ／ａｍｉａｍｉ３４５／ｍｕ７２８２／）
　（８）「楽天市場」の「パペアレグレ」のホームページにおいて、「［ＺＥＢＲＡ］シャープペンシル　Ｃｏｌｏｒ　Ｆｌｉｇｈｔ　Ｃ＜カラーフライトＣ＞０．５ｍｍ　ピュアパープル」を紹介する頁に、商品写真と共に、「商品説明」の「ボディーカラー」の表示として「ピュアパープル」との記載がある。（ｈｔｔｐ：／／ｉｔｅｍ．ｒａｋｕｔｅｎ．ｃｏ．ｊｐ／ｐａｐｅａｌｅｇｒｅ／ｍａ５３−ｐｐｕ／）
　（９）「楽天市場」の「ＳＡＳＡＹＡ」のホームページにおいて、「１Ｍ０１７６　ＡＺＡＬＥＡ（ピュアパープル）」を紹介する頁に、商品写真と共に、商品説明として「光沢のあるパープルがとても優雅！」との記載がある。（ｈｔｔｐ：／／ｉｔｅｍ．ｒａｋｕｔｅｎ．ｃｏ．ｊｐ／ｓａｓａｙａ／４４９２２２／）
　（１０）「楽天市場」の「プロの工具ショップ　ＹＯＳＨＩＭＵＲＡ」のホームページにおいて、「十川産業　ソフトセイバーエアホース　ＳＳＶ−７１０Ｐ　ピュアパープル１巻」を紹介する頁に、商品説明の「色調」の表示として「ピュアパープル」との記載がある。（ｈｔｔｐ：／／ｉｔｅｍ．ｒａｋｕｔｅｎ．ｃｏ．ｊｐ／ｃｉｔｙｌｉｎｅｒ／９２４８８６３／）
　（１１）「楽天市場」の「ＡａｎｄＰ」のホームページにおいて、「【ＮＩＫＥ】ナイキ　ディビジョン１　Ｓ／Ｓ　Ｔシャツ　ホワイト／ライトピュアパープル」」を紹介する頁に、商品写真と共に、「ＣＯＬＯＲ×ＳＩＺＥ」の項には「ホワイト／Ｌ．ピュアパープル」との記載がある。（ｈｔｔｐ：／／ｉｔｅｍ．ｒａｋｕｔｅｎ．ｃｏ．ｊｐ／ａ−ａｎｄ−ｐ２／ｎｉｋｅ−３５４６３５−１００／）
　かかる実情からすれば、本願商標「ＰＵＲＥ　ＰＵＲＰＬＥ」の語が、特定の色彩を表すとまではいえないとしても、少なくとも、これに接する取引者、需要者は、本願商標を「きれいな紫色」ほどの意味にとらえ、商品の色彩を表したものと認識するにとどまるというのが相当である。
　そうとすれば、本願商標は、単に商品の品質（色彩）を表したものと認識されるにすぎず、自他商品の識別標識として機能しないものといわなければならない。
　したがって、本願商標が商標法第３条第１項第３号に該当するとして本願を拒絶した原査定は、妥当であって取り消すべきではない。
　なお、請求人は、外国において、本願商標と同一の構成よりなる商標が登録されていることを示し、本願商標は登録されるべきである旨主張しているが、商標の登録制度は各国により異なっており、また、我が国においては、前記のとおり色彩を表すものとして本願商標が実際に使用されていることからすれば、外国において登録があることをもって、我が国における本願商標の登録の可否についての判断に影響を及ぼすものではない。
　よって、結論のとおり審決する。